(57)【要約】  本発明は、変圧器試験の領域において、多段スイッチ又はタップ切替器の点検をするための試験駆動装置に関し、この場合、試験駆動部は、サーボモータを備え、このサーボモータは、ギアを介して、アダプタと作用し、このアダプタは、試験の間に、多段スイッチ又はタップ切替器の上部ギア段と接続可能である。
2013504067.tif 000002
【特許請求の範囲】
【請求項１】
付設される制御すべき変圧器の試験する領域で、多段スイッチ又はタップ変換器の点検をするための試験駆動装置において、
前記試験駆動装置（１）は、サーボモータ（２）を備え、
このサーボモータ（２）は、ギア部（３）を介して、アダプタ（４）と作用し、
この前記アダプタ（４）は、前記多段スイッチ（９）又はタップ変換器の上部ギア段（１０）と一時的に結合され、
試験駆動装置（１）は、さらに、制御ユニット（５）を備え、この制御ユニット（５）は、操作ユニット（６）と相互に作用し、
さらに、試験駆動装置（１）に、ＲＦＩＤアンテナ（７）が備えられ、このＲＦＩＤアンテナ（７）は、ＲＦＩＤタグ（１１）を用いて、多段スイッチ（９）又はタップ変換器と通信しており、このＲＦＩＤタグ（１１）上に、スイッチ特性値のデータが一時的でなく記憶され、このデータがＲＦＩＤアンテナ（７）で読取可能であり、かつ、ＲＦＩＤアンテナ（７）は、ＲＦＩＤ読取部（８）を介して、制御ユニット（５）と電気的に接続されていることを特徴とする試験駆動装置。
【請求項２】
付設される制御すべき変圧器の試験する領域で、多段スイッチ又はタップ切替器の点検をするための試験駆動装置において、
試験ギア部（１）は、サーボモータ（２）を備え、
このサーボモータ（２）は、ギア部（３）を介して、アダプタ（４）と作用し、
この前記アダプタ（４）は、前記多段スイッチ（９）又はタップ変換器の上部ギア段（１０）と一時的に結合され、
試験駆動装置（１）は、さらに、制御ユニット（５）を備え、この制御ユニット（５）は、操作ユニット（６）と相互に作用し、
制御ユニット（５）は、スイッチ特性値のデータを一時的でなく記憶するための手段、又は、その手段と連絡を取ることを特徴とする試験駆動装置。
【請求項３】
制御ユニット（５）は、スイッチ特性値のデータの手動の入力と記憶をするための手段を備えていることを特徴とする請求項１又は２に記載の試験駆動装置。
【請求項４】
多段スイッチ（９）又はタップ切替器のギア段（１０）の上部に、全体の統合ユニットとして、サーボモータ（２）、ギア部（３）、アダプタ（４）、及び、場合によっては、ＲＦＩＤアンテナ（７）が適用可能であることを特徴とする請求項１乃至３のいずれかに記載の試験駆動装置。
【請求項５】
前記アダプタ（４）は、上部ギア段（１０）と、フィットして接続可能であることを特徴とする請求項１乃至４のいずれかに記載の試験駆動装置
【請求項６】
操作ユニット（６）は、タッチパネルとして構成されていることを特徴とする請求項１乃至５のいずれかに記載の試験駆動装置。
【請求項７】
３つの同一の試験駆動装置が、３つの多段スイッチ又はタップ切替器の同時の試験を可能にするように設けられていることを特徴とする請求項１乃至６のいずれかに記載の試験駆動装置。
【請求項８】
スイッチの間に回転モーメントを捕捉するための追加の手段が存在していることを特徴とする請求項１乃至７のいずれかに記載の試験駆動装置。
【請求項９】
多段スイッチ（９）又はタップ切替器の事前に一時的でなく記憶された特性値の指令値（フィンガープリント）と、捕捉された回転モーメントの経過との比較をするための追加的な手段が設けられていることを特徴とする請求項８に記載の試験駆動装置。
【請求項１０】
迅速に記憶された特性値の指令値が、ＲＦＩＤタグ（１１）上、又は、制御ユニット（５）に記憶されることを特徴とする試験駆動装置。
【発明の詳細な説明】
【技術分野】
【０００１】
本発明は、制御される変圧器の試験範囲において、多段スイッチ又はタップ切替器を点検するための試験駆動装置に関する。
【背景技術】
【０００２】
この多段スイッチは、多段変圧器の複数のコイルタップ点の間に、中断のない切り替えをするために用いられている。これらのステッピングスイッチは、長年の間、多数の実施形態において公知であり、例えば、出願人の会社の印刷物である「登録商標ＶＡＣＵＴＡＰ、制御される変圧器のためのＶＲ−負荷スイッチングスイッチ」（奥付IN206/09de-0708/1000）から公知である。そこに記載されている多段スイッチは、分離した油の容器に収納された負荷スイッチと、その下に配置されているスイッチとからなる。このスイッチは、スイッチングされるべき多段変圧器の新しいコイルタップに、事前スイッチを通電しないために用いられている。負荷スイッチは、新しいコイルタップ上で、従来と違い、後続に、迅速に、中断のない、本来のスイッチをおこなうために用いられている。すべての多段スイッチは、モータ駆動によって、切り替えらえる場合に、動作させられる。回転する駆動軸が、連続的に、スイッチを動かすと同時に、負荷スイッチのエネルギー蓄積が行われる。完全に蓄積が行われた際、つまり、容量ぎりぎりの場合に、取り出され、自身のエネルギーが急激に自由に放出され、迅速に、負荷スイッチを、想定領域で接触させる。負荷スイッチは、それと接続されている変圧器の運転とに依存して、用いられるスイッチや他のデバイスの特性値は、異なるべきである。上述の負荷スイッチの場合、負荷スイッチは、特有のスイッチングシーケンスを行い、つまり、異なる機械的な接触及び/又は真空切り替え管は、所定の時間的順序で次々に又は重なりを持って動作させられる。それに加えて、多段スイッチの上面領域で、蓋に、上部ギア段が設けられ、この上部ギア段は、多段スイッチが据え付けられた状態で、横側の通常方法の駆動軸と、変圧器の外壁に固定されたモータギア部とが繋ぎあわされている。
【０００３】
さらに、タップ変換器は、スイッチが切られる多段変圧器のコイルタップの間のスイッチングを無負荷とは逆にするために用いられる。これらは、多数の実施形態で、同様に公知であり、例えば、出願人の会社出版物「登録商標ＤＥＥＴＡＰ、ＤＵ−スイッチ」（奥付IN277/01de-0705/500）である。スイッチは、同様に、その上部領域に蓋を備えており、その上部領域に、同様に、上部ギア段が備えられ、この上部ギア段は、スイッチの据え付け状態で、モータギア部の駆動軸又は手動ギア部の多くの場合において繋ぎあわされている。
【０００４】
多段スイッチ又はタップ切替器の運転開始前に、かつ、多段変圧器のスイッチ切り替え前に、多数の点検や測定、例えば、抵抗測定や変換測定が必要であり、多段スイッチ又はスイッチは、後で駆動されるモータギア部又は手動ギア部と接続されるために、これらの点検や測定は手間がかかる。
【先行技術文献】
【特許文献】
【０００５】
【非特許文献１】「登録商標ＶＡＣＵＴＡＰ、制御される変圧器のためのＶＲ−負荷スイッチングスイッチ」（奥付IN206/09de-0708/1000）
【非特許文献２】「登録商標ＤＥＥＴＡＰ、ＤＵ−スイッチ」（奥付IN277/01de-0705/500）
【発明の概要】
【発明が解決しようとする課題】
【０００６】
本発明の課題は、初めに述べたように、試験駆動装置であり、その試験駆動装置を用いて、分離した多段スイッチ又はタップ切替器で、１回のスイッチング、所定の位置での開始、又は、所定の完全にそろった試験周期が実行される。その際、本発明による装置は多目的に使用可能であり、つまり、高コストなしに、多段スイッチ又はタップ切替器で、様々な構造、特に、可能な多段位置の様々な数に、様々な技術的データ等を用いて適応可能である。
【課題を解決するための手段】
【０００７】
これらの課題は、本発明によって解決される。請求項１及び２は、はじめに述べたような試験駆動装置に関し、従属請求項は、好ましい更なる実施例に関する。本発明の全般的な観点は、試験駆動装置は、サーボモータを備えており、このサーボモータは、アダプタ上の駆動装置を介して働き、このアダプタは、多段スイッチ又はタップ切替器の上面のギア段と接続可能であり、この場合、試験駆動装置は、制御ユニットを備えている。その際、この制御ユニットによって、多段スイッチ又はタップ切替器の特性値のデータが読みだされ、処理される。
【０００８】
このようなスイッチ特性値のデータは、特に、
‐調整位置
‐回転方向、高い/低い
‐回転数/ギア段の切り替え
‐切り替え形式
‐シリアルナンバー
‐位置の値、範囲の値
‐逆数
‐最大許容回転モーメント極限値
である。
【０００９】
請求項１による一般的な本発明の観点の第１の実現形態の場合、試験駆動装置にＲＦＩＤが備えられ、このＲＦＩＤは、ＲＦＩＤタグを用いて多段スイッチ又はタップ切替器と通信しており、このＲＦＩＤタグ上で、スイッチ特性値のデータは、一時的でなく記憶される。
【００１０】
実現形態の場合、上部の蓋に又は蓋上に、ＲＦＩＤタグを備えた多段スイッチ又はタップ切替器の問題のない追加的な設備が必要である。複数のＲＦＩＤは、その間に設けられた構成部品があり、この構成部品は小さくかつ経済的に取得可能である。ここで、いずれのＲＦＩＤも、多段スイッチの特性値データを保存するために、かつ、パラメータ化のため意のままに用いるために用いられる。
【００１１】
一方で、本発明の範囲内では、ＲＦＩＤの代わりに、原則的にはバーコード等も使用可能であるが、これらのバーコード等は、異なる使用の場合、例えば、汚染や読み出し難くなるという欠点がある。さらに、情報密度は、バーコード自身がより小さい。
【００１２】
請求項２による一般的な本発明による観点の第２の実施形態の場合、スイッチ特性値は、それとは逆に、制御ユニットにそれ自体が記憶され、又は、それと共同で作用する記憶媒体に一時的でなく記憶される。そのような記憶媒体は、例えばＣＤ又はＵＳＢスティックが可能である。製造者によって許されるシリアルナンバーに付属するスイッチ特性値のデータのコンコーダンスリストを記憶することも可能である。
【００１３】
本発明の好ましい実施形態によると、制御ユニットは、例えば、ＲＦＩＤタグが欠損している又は記憶媒体が故障している場合に、スイッチ特性値のデータの手動入力の方法もそなえている。
【００１４】
後続において、図面を用いて本発明を詳細に説明する。
【図面の簡単な説明】
【００１５】
【図１】図面により描かれた、多段スイッチにおける、本発明による試験駆動装置を示したものである。
【図２】多段スイッチに据え付けられた試験駆動装置の実際の例を示したものである。
【発明を実施するための形態】
【００１６】
最初に、図１の図面を用いて、新しい試験駆動装置の原理構造を詳細に説明する。全体の試験駆動装置１は、破線によって取り囲まれている。試験駆動装置１は、サーボモータ２を備え、このサーボモータ２は、ギア部３を介して、アダプタ４に作用している。更に、試験駆動装置は、制御ユニット５を備え、この制御ユニット５は、操作ユニット６と協働している。更に、ＲＦＩＤ−アンテナ７が設けられ、ＲＦＩＤ−アンテナ７は、ＲＦＩＤ−読取部８を介して制御ユニット５と接続されている。試験駆動装置１の下方に、同様に図式的に、多段スイッチ９の上部が示されている。そこに、上部のギア段１０が示されており、更に、このギア段１０と、上方で言及されたアダプタ４とが接続されている。更に、同様に言及されたＲＦＩＤタグ１１が示され、このＲＦＩＤタグは、多段スイッチの特性値データを介して情報が運ばれ、ＲＦＩＤアンテナ７によって読み取られる。試験駆動装置１の据え付け状態において、そのアダプタ４は、上部ギア段１０と通信し、及び、そのＲＦＩＤアンテナ７は、接触することなしに、ＲＦＩＤタグ１１に通信している。
【００１７】
ギア部３、アダプタ４、及び、ＲＦＩＤアンテナ７を備えたサーボモータ２が、特に好ましく、簡単な方法で、多段スイッチの上部ギア段１０上に内蔵された全体のユニットとして適合可能である。アダプタ４の形状にフィットした配置によって、上部ギア段１０でそこで必要な回転モーメントが取得される。ＲＦＩＤタグ１１は、ＲＦＩＤアンテナ７の読取幅に到達するやいなや、パラメータデータ、つまり、特性の多段スイッチデータが、ＲＦＩＤ読取部８を介して読みだされ、制御ユニット５に渡される。特に好ましくは、タッチパネルとして構成される操作ユニット６で、タイプナンバーやシリアルナンバーのような選択されたデータが表示される。続いて、調節位置が有効だと認められなければならない。続いて、それぞれの多段スイッチの切り替え方向を「高い」又は「低い」と明白に決定するために、第１の試験切替が行われる。そして、試験装置が使用できるようになる。それは、１回のスイッチング、又は、所定の目的位置への動きだしが実施される。同様に、事前に定義された試験周期で終わらせることも可能である。簡単な方法で、すべての必要な測定と試験が、それぞれの多段変圧器と相互協力して、それぞれの多段スイッチ又はタップ切替器で、特に、すべての抵抗測定及び変換測定で可能である。
【００１８】
図２は、多段スイッチ９の、本発明による試験駆動装置の実際の配置を示したものである。
【００１９】
御覧のようにサーボモータ２、多段スイッチ９の上部ギア段１０に対応したアダプタ４が配置され、右側に、スイッチ棚の制御ユニット５がある。さらに、ここでは、制御ユニット５からサーボモータ２への接続導線１２が示されている。
【００２０】
本発明の範囲内では、構造によって、３つの多段スイッチの切り替えを同時に可能にするためや、変圧器の効率的な試験を保証するために、試験駆動装置を３つの柱部の上に拡張することも可能である。
【００２１】
さらに、対応する多段スイッチ動作の同時の回転モーメントの経過を、制御ユニット５に直接、又は、追加の回転モーメント部によって、評価又は分析評価することも可能である。その際、製造者によって先だって行われるルーチン試験の場合に、その都度多段スイッチの事前に算出された「フィンガープリント」と比較することも可能である。これによって、起電力又は構造の不良による欠陥を検知可能であり、運転開始前に取り除くことが可能である。これはタップ変換器の場合も可能である。その際、回転モーメントの経過は、直接測定され、サーボモータ２の消費電力からも算出される。
【００２２】
これに加えて、多段スイッチのＲＦＩＤタグ又は制御ユニット５の記憶媒体を用いて、ルーチン試験後の「フィンガープリント」の重要な値が記憶される場合に意味があり、その結果、後で自由に比較することができる。
【００２３】
更に、本発明による試験駆動装置は、多段スイッチを用いて、変圧器のための抵抗測定や変換測定を自動化するための完全システムとして拡張して用いられることも可能である。
拡張の可能性は、タップ変換器にとっても同様に実現できる。
【００２４】
最後に、本発明の範囲内で、制御ユニット５は、存在する制御装置に統合するために、又は、遠隔操作のために、追加の入力を備えることも可能である。
【図１】
2013504067.tif 000003
【図２】
2013504067.tif 000004
【手続補正書】
【提出日】平成22年12月10日(2010.12.10)
【手続補正１】
【補正対象書類名】特許請求の範囲
【補正対象項目名】全文
【補正方法】変更
【補正の内容】
【特許請求の範囲】
【請求項１】
付設される制御すべき変圧器の試験する領域で、多段スイッチ又はタップ切替器の点検をするための試験駆動装置であって、
前記試験駆動装置（１）は、電気モータを備え、
この電気モータは、前記多段スイッチ（９）又はタップ変換器と一時的に結合され、
試験駆動装置（１）は、さらに、制御ユニット（５）を備え、この制御ユニット（５）は、操作ユニット（６）と相互に作用している試験駆動装置において、
前記電気モータは、サーボモータ（２）であり、
前記サーボモータ（２）は、ギア部（３）を介して、アダプタ（４）と機械的に接続されており、
アダプタ（４）は、多段スイッチ（９）又はタップ切替器の上部ギア段（１０）と適合して結合可能であり、
試験駆動装置（１）に、ＲＦＩＤアンテナ（７）が備えられ、このＲＦＩＤアンテナ（７）は、ＲＦＩＤタグ（１１）を用いて、多段スイッチ（９）又はタップ変換器と通信しており、このＲＦＩＤタグ（１１）上に、スイッチ特性値のデータが一時的でなく記憶され、このデータがＲＦＩＤアンテナ（７）で読取可能であり、かつ、ＲＦＩＤアンテナ（７）は、ＲＦＩＤ読取部（８）を介して、制御ユニット（５）と電気的に接続されていることを特徴とする試験駆動装置。
【請求項２】
多段スイッチ（９）又はタップ切替器のギア段（１０）の上部に、全体の統合ユニットとして、サーボモータ（２）、ギア部（３）、アダプタ（４）、及び、もしある場合は、ＲＦＩＤアンテナ（７）が適用可能であることを特徴とする請求項１に記載の試験駆動装置。
【請求項３】
３つの同一の試験駆動装置が、３つの多段スイッチ又はタップ切替器の同時の試験を可能にするように設けられていることを特徴とする請求項１又は２に記載の試験駆動装置。
【請求項４】
スイッチの間に回転モーメントを捕捉するための追加の手段が存在していることを特徴とする請求項１乃至３のいずれかに記載の試験駆動装置。
【請求項５】
多段スイッチ（９）又はタップ切替器の事前に一時的でなく記憶された特性値の指令値（フィンガープリント）と、捕捉された回転モーメントの経過との比較をするための追加的な手段が設けられていることを特徴とする請求項４に記載の試験駆動装置。
【国際調査報告】
2013504067.tif 000005
2013504067.tif 000006
2013504067.tif 000007
2013504067.tif 000008
2013504067.tif 000009
2013504067.tif 000010